(57)【要約】【課題】部品点数の削減化又はユニットの長さや重量の増大化を抑制してコストダウンを実現できる複式メータユニットを提供する。【解決手段】流入口から流入する水道水を複数の流路へ分岐させる分岐部２と、分岐部の各流出口に接続される複数の一次側ユニット３と、各一次側ユニットに案内された水道水を受け取る複数の二次側ユニット４と、分岐部２と複数の一次側ユニット３と複数の二次側ユニット４とが収容されるボックス６を備え、各二次側ユニット４をボックス６に固定するための固定部をボックス６に設け、ボックス内における一次側ユニット３と二次側ユニット４との間の距離を変更できるように、二次側ユニット４のボックス６に対する固定位置を選択できるように固定部を構成した。【選択図】図１
2015098696.tif 000002
【特許請求の範囲】
【請求項１】
流入口から流入する水道水を複数の流路へ分岐させる分岐部と、該分岐部の各流出口に一端部が接続され、かつ、他端部に水道用メータの流入側端部が接続される接続部を備えた複数の一次側ユニットと、前記水道用メータの流出側端部が接続される接続部を備えた複数の二次側ユニットと、前記複数の一次側ユニットと前記複数の二次側ユニットとが収容されるボックスとを備えた複式メータユニットであって、
前記各二次側ユニットを前記ボックスに固定するための固定部を該ボックスに設け、前記ボックス内における前記一次側ユニットと前記二次側ユニットとの間の距離を変更すべく、少なくとも１つの二次側ユニットのボックスに対する固定位置を選択できるように前記固定部を構成したことを特徴とする複式メータユニット。
【請求項２】
前記固定部は、水道水の流れ方向に複数の固定孔を備えていることを特徴とする請求項１に記載の複式メータユニット。
【請求項３】
前記複数の固定孔のうちの前記一次側ユニットから水道水の流れ方向で最も離れている固定孔が、水道水の流れ方向に長い長孔であることを特徴とする請求項２に記載の複式メータユニット。
【請求項４】
全ての二次側ユニットのボックスに対する固定位置を選択できるように前記固定部を構成したことを特徴とする請求項１〜３のいずれか１項に記載の複式メータユニット。
【請求項５】
前記二次側ユニットは、前記ボックスを下方から貫通して該ボックスの上方に突出するボルトの先端にナットを螺合することにより該ボックスに固定されるように構成され、前記ナットの回転操作時に前記ボルトの頭部が回転されることを当接して阻止するための壁部を前記ボックスの下面に設けたことを特徴とする請求項１〜４のいずれか１項に記載の複式メータユニット。
【請求項６】
前記二次側ユニットは、前記ボックスを上方から貫通して該ボックスの下方に突出するボルトの先端にナットを螺合することにより該ボックスに固定されるように構成され、前記ボルトの回転操作時に前記ナットが回転されることを当接して阻止するための壁部を前記ボックスの下面に設けたことを特徴とする請求項１〜４のいずれか１項に記載の複式メータユニット。
【請求項７】
前記一次側ユニットは、前記ボックスに固定されていることを特徴とする請求項１〜６のいずれか１項に記載の複式メータユニット。
【請求項８】
前記ボックスは、上側ボックス部と、下側ボックス部と、該下側ボックス部の底部に配置されるベース部材とを備え、該ベース部材に前記固定部を設けていることを特徴とする請求項１〜７のいずれか１項に記載の複式メータユニット。
【発明の詳細な説明】
【技術分野】
【０００１】
本発明は、例えば低層集合住宅において複数の世帯の水道用メータを１個のボックス内に収容できるようにした複式メータユニットに関する。
【背景技術】
【０００２】
かかる複式メータユニットとしては、４世帯分（４個）の水道用メータをボックス内に収容できるようにしたものが提案されている（例えば特許文献１参照）。
【０００３】
上記複式メータユニットは、具体的には、水道水が流入する流入口が形成され該流入口からの水道水を４個の流路へ分岐させる分岐ヘッダと、この分岐ヘッダの各流出口に一端部が接続され、かつ、他端部に水道用メータの流入側端部が接続される接続部を備えた４個の一次側ユニットと、水道用メータの流出側端部が接続される接続部を備えた４個の二次側ユニットと、分岐ヘッダと４個の一次側ユニットと４個の二次側ユニットとを収容するボックスとを備えて構成される。
【先行技術文献】
【特許文献】
【０００４】
【特許文献１】特開２０１２−２１９４５１号公報（図５参照）
【発明の概要】
【発明が解決しようとする課題】
【０００５】
上記構成の複式メータユニットに収容される４個の水道用メータは、どれも同一口径であるため、水道用メータの水道水流れ方向における長さも同一である。このため、各一次側ユニットと各二次側ユニットとの間の距離も同一に設定されている。
【０００６】
ところで、低層集合住宅においては、各世帯用の水道用メータの他に、散水用の水道用メータを世帯用の水道用メータと一緒にボックス内に収容することがある。この場合、散水用の水道用メータは、口径が世帯用の水道用メータの口径よりも小さいだけでなく、水道水流れ方向における長さが、世帯用の水道用メータの水道水流れ方向における長さよりも短い。そのため、一次側ユニットと二次側ユニットとの間に、散水用の水道用メータを接続することができない。そこで、ユニオンアダプターを用いて水道水流れ方向における長さを補う、又は一次側ユニット若しくは二次側ユニットの長さを長くすることによって、散水用の水道用メータを一次側ユニットと二次側ユニットとの間に接続することができるようにしている。
【０００７】
上記のようにユニオンアダプターを用いると、部品点数が増大し、また、一次側ユニット若しくは二次側ユニットの長さを長くすると、ユニットを構成する金属部品の長さと重量が増大する。その結果、コスト高になってしまう不都合があった。
【０００８】
本発明は前述の状況に鑑み、解決しようとするところは、部品点数の削減化又はユニットの長さや重量の増大化を抑制してコストダウンを実現できる複式メータユニットを提供するものである。
【課題を解決するための手段】
【０００９】
本発明の複式メータユニットは、前述の課題解決のために、流入口から流入する水道水を複数の流路へ分岐させる分岐部と、該分岐部の各流出口に一端部が接続され、かつ、他端部に水道用メータの流入側端部が接続される接続部を備えた複数の一次側ユニットと、前記水道用メータの流出側端部が接続される接続部を備えた複数の二次側ユニットと、前記複数の一次側ユニットと前記複数の二次側ユニットとが収容されるボックスとを備えた複式メータユニットであって、前記各二次側ユニットを前記ボックスに固定するための固定部を該ボックスに設け、前記ボックス内における前記一次側ユニットと前記二次側ユニットとの間の距離を変更すべく、少なくとも１つの二次側ユニットのボックスに対する固定位置を選択できるように前記固定部を構成したことを特徴としている。
【００１０】
本発明によれば、水道用メータの水道水の流れ方向の長さに合わせて、二次側ユニットのボックスに対する固定位置を選択することによって、一次側ユニットと二次側ユニットとの間の距離を水道用メータの水道水の流れ方向の長さに合わせることができる。従って、二次側ユニットのボックスに対する固定位置を選択して固定するだけで、一次側ユニットと二次側ユニットとの間に、水道水の流れ方向において長さの異なる水道用メータを接続することができる。
【００１１】
又、本発明の複式メータユニットは、前記固定部が、水道水の流れ方向に複数の固定孔を備えていてもよい。
【００１２】
上記のように、固定部が、水道水の流れ方向に複数個の固定孔を備えていれば、複数個の固定孔の一つの固定孔を選択して固定するだけで、二次側ユニットのボックスに対する固定位置を所望の固定位置に迅速に合わせることができる。
【００１３】
又、本発明の複式メータユニットは、前記複数の固定孔のうちの前記一次側ユニットから水道水の流れ方向で最も離れている固定孔が、水道水の流れ方向に長い長孔であってもよい。
【００１４】
上記のように、一次側ユニットから水道水の流れ方向で最も離れている固定孔が、水道水の流れ方向に長い長孔であれば、製造時の寸法誤差が発生し易い水道水の流れ方向に長さを有する一次側ユニット又は二次側ユニット又はそれら両ユニットの寸法誤差を長孔で吸収しながら、二次側ユニットを確実に固定することができる。
【００１５】
又、本発明の複式メータユニットは、全ての二次側ユニットのボックスに対する固定位置を選択できるように前記固定部を構成してもよい。
【００１６】
上記のように、全ての二次側ユニットのボックスに対する固定位置を選択できるようにしていれば、水道水の流れ方向において長さの異なる水道用メータをどの一次側ユニットにも接続することができ、現場設計や配管作業の自由度を高めることができる。
【００１７】
又、本発明の複式メータユニットは、前記二次側ユニットが、前記ボックスを下方から貫通して該ボックスの上方に突出するボルトの先端にナットを螺合することにより該ボックスに固定されるように構成され、前記ナットの回転操作時に前記ボルトの頭部が回転されることを当接して阻止するための壁部を前記ボックスの下面に設けていてもよい。
【００１８】
上記のように、ナットの回転操作時にボルトの頭部が回転されることを阻止する壁部をボックスの下面に設けていれば、ナットを回転操作する際に、ボルトの頭部が回転しないようにボルトの頭部を工具で保持しておくことが不要になり、ボルトとナットの締結作業を容易迅速に行うことができる。
【００１９】
又、本発明の複式メータユニットは、前記二次側ユニットが、前記ボックスを上方から貫通して該ボックスの下方に突出するボルトの先端にナットを螺合することにより該ボックスに固定されるように構成され、前記ボルトの回転操作時に前記ナットが回転されることを当接して阻止するための壁部を前記ボックスの下面に設けていてもよい。
【００２０】
上記のように、ボルトの回転操作時にナットが回転されることを阻止する壁部をボックスの下面に設けていれば、ボルトを回転操作する際に、ナットが回転しないようにナットを工具で保持しておくことが不要になり、ボルトとナットの締結作業を容易迅速に行うことができる。
【００２１】
又、本発明の複式メータユニットは、前記一次側ユニットが、前記ボックスに固定されていてもよい。
【００２２】
上記のように、一次側ユニットが、ボックスに固定されていれば、交換やメンテナンスのために水道用メータを取り外しても、ボックスに対する一次側ユニットの位置が変化することがないから、再度水道用メータを取り付ける作業を容易に行うことができる。
【００２３】
又、本発明の複式メータユニットは、前記ボックスが、上側ボックス部と、下側ボックス部と、該下側ボックス部の底部に配置されるベース部材とを備え、該ベース部材に前記固定部を設けてもよい。
【００２４】
上記のように、ボックスが、上側ボックス部と、下側ボックス部と、該下側ボックス部の底部に配置されるベース部材とを備え、ベース部材に固定部を備えていれば、二次側ユニットのベース部材に対する固定位置を選択することによって、一次側ユニットと二次側ユニットとの間の距離を水道用メータの水道水の流れ方向の長さに合わせることができる。従って、二次側ユニットのベース部材に対する固定位置を選択して固定するだけで、一次側ユニットと二次側ユニットとの間に、水道水の流れ方向において長さの異なる水道用メータを接続することができる。しかも、下側ボックス部とは別のベース部材を設けることによって、ベース部材に二次側ユニットを取り付けてから、下側ボックス部にベース部材を配置することができる。
【発明の効果】
【００２５】
本発明によれば、二次側ユニットのボックスに対する固定位置を選択して固定するだけで、一次側ユニットと二次側ユニットとの間に、水道水の流れ方向において長さの異なる水道用メータを接続することができる。ゆえに、部品点数の削減化又はユニットの長さや重量の増大化を抑制してコストダウンを実現できる複式メータユニットを提供することができる。また、一次側ユニット若しくは二次側ユニットの長さを抑制することで加工時間が短くなり、この点からもコストダウンを図れる。
【図面の簡単な説明】
【００２６】
【図１】本発明の複式メータユニットの平面図である。
【図２】図１におけるＢ−Ｂ線断面図である。
【図３】図１におけるＡ−Ａ線断面図である。
【図４】図１において点線で囲った部分Ｄを下から見た底面図である。
【図５】図１におけるＣ−Ｃ線断面図である。
【図６】本発明の複式メータユニットの別の形態を示す縦断側面図である。
【発明を実施するための形態】
【００２７】
図１及び図２に、本発明の複式メータユニット１を示している。この複式メータユニット１は、水道水が流入する流入口２Ｋが形成され、該流入口２Ｋからの水道水を複数（ここでは４個）の流路へ分岐させるための分岐部である分岐ヘッダ２と、この分岐ヘッダ２の４個の流出口２ａに一端が接続され、かつ、他端部に水道用メータ５の流入側端部が接続される接続部である継ぎ手部３Ｃを備えた４個の一次側ユニット３と、水道用メータ５の流出側端部が接続される接続部である継ぎ手部４Ａを備えた４個の二次側ユニット４と、前記分岐ヘッダ２と４個の一次側ユニット３と４個の二次側ユニット４と収容するボックス６とを備えて構成されている。この複式メータユニット１は、例えば低層集合住宅において複数の世帯の水道用メータ５を１個のボックス６内に収容できるように構成されたものである。以下において、図１における前後方向及び左右方向を図に示す方向として説明する。例えば、このように構成された複式メータユニット１を、施工現場へ運搬する。施工現場では、各一次側ユニット３と各二次側ユニット４との間に水道用メータ５を接続するとともに、水道水供給用の一次側の配管を分岐ヘッダ２に接続する。続いて、二次側ユニット４の流出口に二次側配管１４を接続して水道水を供給できる状態にセットすることができる。
【００２８】
ボックス６は、図１及び図２に示すように、左右方向に少し長い長方形状の底板７と底板７の外周縁から上方に立ち上げられた縦側板８とからなる下側ボックス部９と、下側ボックス部９の上方空間を覆う上側ボックス部１０（図２に２点鎖線で図示）とを備えている。下側ボックス部９の縦側板８の上端に、外側に突出して上側ボックス部１０の下端を載置支持する鍔部８Ａを備えている。この鍔部８Ａを備えることによって、上側ボックス部１０を載置させる載置面積を増大させることができ、上側ボックス部１０を安定良く載置することができるだけでなく、上側ボックス部１０から受ける重量を分散することもできる。
【００２９】
分岐ヘッダ２は、水道水を供給する供給配管（図示せず）が接続される流入口２Ｋが形成される流入管部２Ａと、この流入管部２Ａの前後方向（水道水の流れ方向）終端から直交する左右方向両側に延びる一直線状の分岐管部２Ｂと、この分岐管部２Ｂの左右両端の２箇所及び左右両端の間に位置する２箇所の合計４箇所から前後方向後方へ延びる４本の支流管部２Ｃとを備えている。
【００３０】
また、分岐ヘッダ２の流入管部２Ａが、ボックス６の縦側板８の前側の左右中央に下方に凹むように切欠き形成された切欠き１１に受け止め支持されるとともに、分岐ヘッダ２の分岐管部２Ｂの左右両側部分が、ボックス６の底板７における前端部の左右両側のそれぞれに上方に突出するように設けられた左右一対の支持板１２，１２に受け止め支持されている。各支持板１２の上端面１２Ａは、図３に示すように、分岐管部２Ｂの外形に沿うように円弧状の凹面に形成されている。また、分岐ヘッダ２の分岐管部２Ｂの左右両外側端及び左右中央後端の３箇所に取付板部２ｔを備え、取付板部２ｔ，２ｔ，２ｔを底板７から上方に突出する台座１３，１３，１３（図１では省略し、図２では左端と中央の台座のみ図示している）の上端に当接した状態で両者をボルトＢ１により連結することにより、分岐ヘッダ２を底板７に固定している。
【００３１】
各一次側ユニット３は、支流管部２Ｃの各流出口２ａにボルトにより連結されて支流管部２Ｃからの水道水を受け取るための接続部３Ａと、手動ハンドル３Ｈを回転させることにより支流管部２Ｃからの水道水が水道用メータ５側へ移動することを阻止するための開閉自在な止水栓３Ｂと、支流管部２Ｃからの水道水を水道用メータ５へ受け渡すために水道用メータ５の流入側端部（流れ方向上手側端部）に接続される前述の継ぎ手部３Ｃとを備えている。前記のように底板７に固定された分岐ヘッダ２に、一次側ユニット３を接続することによって、一次側ユニット３が、ボックス６に固定されることになる。このように、一次側ユニット３が、ボックス６に固定されていれば、交換やメンテナンスのために水道用メータ５を取り外しても、ボックス６に対する一次側ユニット３の位置が変化することがないから、再度水道用メータ５を取り付ける作業を容易に行うことができる。
【００３２】
各二次側ユニット４は、水道用メータ５からの水道水を受け取るために水道用メータ５の流出側端部（流れ方向下手側端部）に接続される前述の継ぎ手部４Ａと、二次側に流れた水道水が水道用メータ５側へ逆流することを阻止するための逆止弁４Ｂと、二次側ユニット４を通った水道水を各世帯へ案内するための二次側配管（破線で図示している）１４に接続するための継ぎ手部４Ｃとを備えている。
【００３３】
各二次側ユニット４は、図１、図２及び図５に示すように、ボックス６の底板７に形成された固定部に、ボックス６の上方から六角ナット１５とボルト１６を用いて着脱自在に固定される。前記固定部がボックス６の上方から目視できるため、ボックス６の上方から二次側ユニット４をボックス６の固定部に固定したり固定解除することができ、ボックス６の上方から二次側ユニット４の着脱を一般的に市販されている工具を用いて容易に行うことができる。具体的には、逆止弁４Ｂに、それの下端を支えるように前後左右の４方向に延びる十の字状の縦リブ１７と、この縦リブ１７の下端に連接して底板７の上面に当接する十の字状の当接部１８とからなる脚部１９を備え、当接部１８は前後端より左右端を長く設定されている。その当接部１８の左右端には、ボルト挿通用の貫通孔１８Ａ，１８Ａが形成され、これに対応する底板７の箇所に固定部を構成する左右一対の貫通孔７Ａ，７Ａが形成されている。従って、それら貫通孔１８Ａ，１８Ａ、７Ａ，７Ａにボルト１６，１６の軸部を底板７の下方から上方に向けて通して、底板７及び接地部１８からボルト１６，１６の先端部１６ａが上方に突出する。その突出したボルト１６，１６の先端部１６ａにナット１５，１５を螺合して締め付けることにより、二次側ユニット４をボックス６の底板７に固定できる。
【００３４】
水道用メータ５には、供給する水量等に応じて口径寸法が異なる水道用メータが多種類存在する。これら口径寸法には、１３ｍｍ、２０ｍｍ、２５ｍｍ等がある。また、１３ｍｍの口径の水道用メータ５であっても、水道水の流れ方向の長さが異なる２種類の水道用メータも存在する。具体的には、図１の右端に位置する水道用メータ５は、口径寸法が１３ｍｍのショートタイプ（水道水の流れ方向の長さが短いタイプ）の水道用メータ５１である。また、右端から２番目に位置する水道用メータ５は、口径寸法が１３ｍｍのロングタイプ（水道水の流れ方向の長さが長いタイプ）の水道用メータ５２である。また、右端から３番目及び４番目に位置する水道用メータ５は、口径寸法が２０ｍｍの水道用メータ５３である。尚、二次側ユニット４の後端部には、図１に破線で示す二次側配管１４が接続されて各世帯へ水道水が供給されることになる。右端から３番目に位置する二次側ユニット４の後端部に接続される二次側配管１４は、省略され、同二次側ユニット４の後方に、水道水の流れ方向の長さが最も長い水道用メータ（図示せず）を接続した場合の二次側ユニット４及び二次側配管１４が破線で示されている。
【００３５】
前記のように水道水の流れ方向の長さが異なる３種類の水道用メータ５１，５２，５３を一次側ユニット３と二次側ユニット４との間にアダプター等を用いることなく接続することができるように、複式メータユニット１が構成されている。つまり、複式メータユニット１は、二次側ユニット４のボックス６に対する固定位置が選択できるように構成されており、これによって、一次側ユニット３と二次側ユニット４との間の距離を水道用メータの長さに応じて変更することができる。ここでは、長さが異なる水道用メータを例に挙げているが、一次側ユニット３及び二次側ユニット４それぞれの流れ方向の長さを事業体によって異なる長さに設定している場合があり、その場合も、本発明では、異なる長さを吸収することができる。
【００３６】
二次側ユニット４をボックス６に固定するには、前述したように二次側ユニット４の固定部材１９の左右の貫通孔１８Ａ，１８Ａをボックス６の底板７に形成の固定部である左右の貫通孔７Ａ，７Ａに一致させる。この状態で、ボルト１６，１６の軸部を貫通孔７Ａ，７Ａ、１８Ａ，１８Ａに通してから、底板７から上方へ突出するボルト１６，１６の先端にナット１５，１５を螺合させて固定する。また、固定部としては、ボックス６の底板７に形成した左右の貫通孔７Ａ，７Ａの他に、前後方向後方側（水道水の流れ方向下手側）に間隔を置いて３個所に形成した左右の貫通孔７Ｂ，７Ｂ、７Ｃ，７Ｃ、７Ｄ，７Ｄを備えている。それら４組の貫通孔７Ａ，７Ａ、７Ｂ，７Ｂ、７Ｃ，７Ｃ、７Ｄ，７Ｄのうちの１組の貫通孔に二次側ユニット４を固定することによって、一次側ユニット３と二次側ユニット４との間の距離を変更できる。
【００３７】
前記４箇所に形成された貫通孔７Ａ，７Ｂ，７Ｃ，７Ｄのうちの、前後方向前側に位置する３個の貫通孔７Ａ，７Ｂ，７Ｃが、ボルト１６を挿通できる大きさの円形の孔からなっている。また、前後方向後端に位置する貫通孔７Ｄが、ボルト１６を挿通でき、ボルト１６の前後方向での位置調節が可能となるように、前後方向に長い長孔に構成されている。このように、一次側ユニット３から水道水の流れ方向で最も離れている固定位置に、水道水の流れ方向に長い長孔７Ｄを備えることによって、製造時の寸法誤差が発生し易い水道水の流れ方向に長さを有する一次側ユニット３又は二次側ユニット４又はそれら両ユニット３，４の寸法誤差を長孔７Ｄで吸収しながら、二次側ユニット４を確実に固定することができる。この寸法誤差が最大である最大寸法誤差を吸収しながら取り付けたときの二次側ユニット４及び二次側配管１４の位置を、図１に破線で示している。前記のように、水道水の流れ方向に円形の孔からなる３個の貫通孔７Ａ，７Ｂ，７Ｃを設けていれば、水道水の流れ方向に長い１個の長孔で構成する場合に比べて、３個の貫通孔７Ａ，７Ｂ，７Ｃのいずれかを選択して固定するだけで、二次側ユニット４のボックス６に対する固定位置を所望の固定位置に迅速に合わせることができる。
【００３８】
図１では、口径寸法が１３ｍｍのショートタイプの水道用メータ５１を、一次側ユニット３と二次側ユニット４との間に接続する場合には、二次側ユニット４を一次側ユニット３から最も近い位置に形成されている貫通孔７Ａ，７Ａに固定する。また、口径寸法が１３ｍｍのロングタイプの水道用メータ５２を、一次側ユニット３と二次側ユニット４との間に接続する場合には、二次側ユニット４を一次側ユニット３から２番目に近い位置に形成されている貫通孔７Ｂ，７Ｂに固定する。また、口径寸法が２０ｍｍの水道用メータ５３を、一次側ユニット３と二次側ユニット４との間に接続する場合には、二次側ユニット４を一次側ユニット３から３番目に近い位置に形成されている貫通孔７Ｃ，７Ｃに固定する。また、口径寸法が２０ｍｍを越える水道用メータを、一次側ユニット３と二次側ユニット４との間に接続する場合や前述したように事業体によって異なる長さに設定されている一次側ユニット３及び二次側ユニット４を有している場合には、二次側ユニット４を一次側ユニット３から４番目に近い位置（一次側ユニット３から最も遠い位置）に形成されている貫通孔７Ｄ，７Ｄに固定する。
【００３９】
また、図１、図２、図４及び図５に示すように、ナット１５の回転操作時にボルト１６の頭部が回転されることを当接して阻止するための壁部（阻止手段）２０をボックス６の下面に設けている。図４は、図１の点線で囲った部分Ｄを下から見た底面図である。
【００４０】
壁部２０は、ボルト１６の頭部をボックス６の下面にセットしたときに、頭部の２つの平行な２つの外面１６Ａ，１６Ａが当接してボルト１６の回転を阻止すべく、ボックス６の底板７の下面に設けた左右一対の突出部材２１，２１から構成されている。各突出部材２１，２１は、断面形状が矩形状でかつ前後方向に長い一直線状の棒状体からなっている。尚、突出部材２１，２１は、ボックス６の底板７に一体形成してもよいし、別体形成した突出部材２１，２１をボックス６の下面に取り付けてもよい。前記のように壁部２０を設けることによって、ナット１５を回転操作する際に、ボルト１６の頭部が回転しないように頭部を工具（図示せず）で保持しておくことが不要になり、ナット１５とボルト１６の締結作業を容易迅速に行うことができる。
【００４１】
また、ボックス６の底板７は、図１において実線で囲まれた部分（突出部材２１，２１を備える部分）７Ｍが他の部分７Ｎよりも少し上方へ突出している。従って、突出部材２１，２１の下面２１Ｌを底板７の下面７Ｌと面一にすることができるだけでなく、ボルト１６の頭部が底板７の下面７Ｌから下方へ突出することがない。また、ボルト１６の頭部が壁部２０からも下方へ突出することがなく、ナット１５の締結中においても、ボルト１６が落下したり、脱落することがない。
【００４２】
尚、本発明は、上記実施形態に限定されるものではなく、本発明の要旨を逸脱しない範囲で種々の変更が可能である。
【００４３】
上記実施形態では、全ての二次側ユニット４のボックス６に対する固定位置を選択できるように固定部を構成したが、少なくとも１つの二次側ユニット４のボックス６に対する固定位置を選択できるように固定部を構成してもよい。
【００４４】
また、上記実施形態では、固定部が、ボックス６に形成された円形の３組の貫通孔７Ａ，７Ｂ，７Ｃと１組の長孔７Ｄとで構成したが、ボックス６に形成された円形の貫通孔のみで構成してもよい。また、複数の円形の貫通孔を水道水の流れ方向に間隔を置いて形成する他、複数の円形の貫通孔を水道水の流れ方向に間隔が無い連続した状態で形成してもよい。この連続して複数の円形の貫通孔を形成した場合には、水道水の流れ方向において一次側ユニット３又は二次側ユニット４又はそれら両ユニット３，４の寸法誤差等を吸収することができながらも、長孔に比べて貫通孔でボルトの位置決めを確実に行える利点がある。また、固定用の孔の個数は、複数であれば、何個であってもよい。
【００４５】
また、上記実施形態では、二次側ユニット４をボルト１６とナット１５を用いてボックス６に固定する構成を示したが、被係止部（例えば孔）に係止する係脱自在な係止部（例えば係止ピン）を備えた固定手段から構成してもよい。また、ナット１５としては、六角ナットの他、長方形ナット、袋ナット、蝶ナットを用いることができる。
【００４６】
また、上記実施形態では、ボックス６に固定された分岐ヘッダ２に一次側ユニット３を接続することで、一次側ユニット３をボックス６に間接的に固定する場合を示したが、一次側ユニット３をボックス６に直接固定する構成であってもよい。
【００４７】
また、上記実施形態では、ボックス６を下方から貫通してボックス６の上方に突出するボルト１６の先端１６ａにナット１５を螺合することによりボックス６に二次側ユニット４が固定されるように構成され、ナット１５の回転操作時にボルト１６の頭部が回転されることを当接して阻止するための壁部２０をボックス６の下面に設けたが、これとは反対に、ボルト１６がボックス６を貫通する貫通方向が１８０度異なるようにしてもよい。つまり、ボックス６を上方から貫通してボックス６の下方に突出するボルト１６の先端にナット１５を螺合することによりボックスに固定されるように構成され、ボルト１６の回転操作時にナット１５が回転されることを当接して阻止するための壁部２０をボックス６の下面に設けて実施することになる。尚、ナット１５をボックス６の底板７に埋め込んだ構成であってもよいし、底板７にボルト１６の先端１６ａが螺合する雌ねじを形成した構成であってもよい。
【００４８】
また、上記実施形態では、４個の水道用メータ５をボックス６に収容できる構成の複式メータユニットを示したが、水道用メータ５を収容できる個数は、２個以上であれば何個であってもよい。
【００４９】
また、上記実施形態では、ボックス６の底板７の特定部分７Ｍを他の部分７Ｎよりも上方へ突出させて段部を設けたが、底板７を全域に亘ってフラットな板状に構成してもよい。
【００５０】
また、上記実施形態では、施工現場で、水道用メータ５を一次側ユニット３と二次側ユニット４との間に接続したが、施工現場に行く前の複式メータユニット１を組み立てる時に、水道用メータ５を一次側ユニット３と二次側ユニット４との間に接続してもよい。
【００５１】
また、上記実施形態では、壁部２０を、左右一対の突出部材２１，２１から構成したが、ボルトの頭部が回転しないように頭部に嵌合する凹部から構成してもよい。
【００５２】
また、上記実施形態では、分岐部２をボックス６内に収容したが、ボックス６内に収容せず、ボックス６外に配置していてもよい。
【００５３】
また、上記実施形態では、固定部としての孔７Ａ，７Ｂ，７Ｃ，７Ｄを下側ボックス部９の底板７に形成したが、図６に示すように構成してもよい。つまり、上側ボックス部１０と、下側ボックス部９と、下側ボックス部９の底部に配置されるベース部材２２とを備え、ベース部材２２に固定部としての孔２２ａ，２２ｂ，２２ｃ，２２ｄを形成している。下側ボックス部９は、長方形状の平板からなる底板７と、底板７の外周縁から上方に立ち上がる縦側板８とからなっている。ベース部材２２は、底板７の上面７Ｕに載置可能な板状に構成され、分岐部２及び一次側ユニット３の下方に位置する前側板部２２Ａと、この前側板部２２Ａの水道用メータ側端（後端）に段部を介して後方に延びるとともに前側板部２２Ａよりも上方に位置する後側板部２２Ｂと、後側板部２２Ｂの左右両端にそれから下方に垂下して底板７の上面７Ｕに当接する左右側部２２Ｃ，２２Ｃ（図６では一方のみ図示している）とを備えている。後側板部２２Ｂは、水道用メータ５及び二次側ユニット４の下方に位置し、二次側ユニット４を固定するための孔２２ａ，２２ｂ，２２ｃ，２２ｄが形成されている。ベース部材２２は、底板７の上面７Ｕに載置しているだけで固定はしていないが、各種の固定手段を用いて底板７に固定して実施することもできる。後側板部２２Ｂの下面２２Ｄと底板７の上面７Ｕとの間の隙間は、孔２２ａ，２２ｂ，２２ｃ，２２ｄに下方から挿入されたボルト１６の頭部が収容できる大きさであればよい。説明しなかった他の構成は、図２と同様である。尚、図６において、ナット１５をベース部材２２に埋め込んだ構成であってもよいし、ベース部材２２にボルト１６の先端１６ａが螺合する雌ねじを形成した構成であってもよい。
【００５４】
図６の構成によれば、二次側ユニット４のベース部材２２に対する固定位置である孔２２ａ，２２ｂ，２２ｃ，２２ｄを一つ選択することによって、一次側ユニット３と二次側ユニット４との間の距離を水道用メータ５の水道水の流れ方向の長さに合わせることができる。従って、二次側ユニット４のベース部材２２に対する固定位置である孔２２ａ，２２ｂ，２２ｃ，２２ｄの一つを選択して固定するだけで、一次側ユニット３と二次側ユニット４との間に、水道水の流れ方向において長さの異なる水道用メータ５を接続することができる。しかも、下側ボックス部９とは別のベース部材２２を設けることによって、下側ボックス部９は単純な構造になり、専用ではなく従来からある下側ボックスを使用できる。又、ベース部材２２に二次側ユニット４を取り付けてから、下側ボックス部９の底板７上にベース部材２２を載置（配置）することができるため、下側ボックスの重量を分散でき、軽量化が図れる。
【符号の説明】
【００５５】
１…複式メータユニット、２…分岐ヘッダ（分岐部）、２Ａ…流入管部、２Ｂ…分岐管部、２Ｃ…支流管部、２Ｋ…流入口、２ａ…流出口、２ｔ…取付板部、３…一次側ユニット、３Ａ…接続部、３Ｂ…止水栓、３Ｃ…継ぎ手部、３Ｈ…手動ハンドル、４…二次側ユニット、４Ａ…継ぎ手部、４Ｂ…逆止弁、４Ｃ…継ぎ手部、５，５１，５２，５３…水道用メータ、６…ボックス、７…底板、７Ａ，７Ｂ，７Ｃ…貫通孔、７Ｄ…長孔、７Ｌ…下面、８…縦側板、８Ａ…鍔部、９…下側ボックス部、１０…上側ボックス部、１２…支持板、１２Ａ…上端面、１３…台座、１４…二次側配管、１５…ナット、１６…ボルト、１６Ａ…外面、１７…縦リブ、１８…当接部、１８Ａ…貫通孔、１９…脚部、２０…壁部、２１…突出部材、２１Ｌ…下面
【図１】
2015098696.tif 000003
【図２】
2015098696.tif 000004
【図３】
2015098696.tif 000005
【図４】
2015098696.tif 000006
【図５】
2015098696.tif 000007
【図６】
2015098696.tif 000008